(57)【要約】【課題】冷凍倉庫等の躯体の断熱開口部の屋外側面に組付ける断熱開口枠６を、断熱性、組付け性、メンテナンス性の良いものにする。【解決手段】開口枠６を、躯体屋外側面１ａに取付けられる第一ベース枠７に、該第一ベース枠７の蓋をする第二ベース枠８を着脱自在に設けると共に、第一ベース枠底面部７ａに、第一ベース枠７を躯体に固定するためのボルト孔７ｆと、躯体開口の内側面１ｂ部位に形成の注入空間Ｃにポリウレタンフォーム１２の反応液を注入する注入孔７ｇが形成されたものとすると共に、第一ベース枠７には、ポリスチレンフォーム１３、１４を充填するための充填室Ａ、Ｂが形成されたものとする。【選択図】図３
2015124921.tif 000002
【特許請求の範囲】
【請求項１】
断熱機能を有した躯体開口部の屋外側縁部に、躯体開口部の屋外側面部と戸体とのあいだに断熱性を確保するため開口枠を屋外側に突出するように設けるにあたり、該開口枠は、躯体開口部の屋外側面に底面部が当接するようにして躯体に組付けられる第一ベース枠と、該第一ベース枠に形成の屋外側が開口した充填室に充填される板状の断熱材と、第一ベース枠を屋外側から覆蓋する状態で該第一ベース枠に着脱自在に固定される第二ベース枠とを備えて構成されていることを特徴とする断熱開口部の開口枠。
【請求項２】
第一ベース枠は、底面部の開口部側端から屋外側に向けて突出する内側片部が躯体開口部の内側面よりも内側に位置するようにして躯体に組付けられるものであり、該第一ベース枠には、第一ベース枠底面部、躯体開口部内側面、および断面Ｌ字形をし、躯体開口部の室内側面と第一ベース枠内側片部とに固定される端板により充填空間が形成され、該充填空間には断熱材が充填されることを特徴とする請求項１記載の断熱開口部の開口枠。
【請求項３】
充填空間には断熱材に発砲する前の液体を注入することにより断熱材が充填されるものであり、充填空間に注入する液体は、第一ベース枠の底面部に形成される注入孔から注入されることを特徴とする請求項２記載の断熱開口部の開口枠。
【請求項４】
第一ベース枠の底面部には、該第一ベース枠を躯体外側面に組付けるボルトのボルト孔が形成されていることを特徴とする請求項１乃至３の何れか１記載の断熱開口部の開口枠。
【請求項５】
第一ベース枠は、仕切り片部により開口部側の内側充填室と逆側の外側充填室とに仕切られており、内側充填室底面部に前記注入孔が形成され、外側充填室底面部に第一ベース枠を躯体外側面に組付けるボルトのボルト孔が形成されていることを特徴とする請求項３記載の断熱開口部の開口枠。
【請求項６】
充填室に充填される断熱材はボルト部位が繰り抜かれており、該繰り抜き部位にはボルト端部を被覆するようにして断熱材が充填されていることを特徴とする請求項４または５記載の断熱開口部の開口枠。
【請求項７】
充填室に充填される断熱材は、板状であって、ボルト部位が繰り抜かれた底面側半部と、繰り抜きのない表面側半部とで構成されていることを特徴とする請求項４または５記載の断熱開口部の開口枠。
【請求項８】
断熱機能を有した躯体開口部の屋外側縁部に、躯体開口部の屋外側面部と戸体とのあいだに断熱性を確保するため開口枠を屋外側に突出するようにして設けるにあたり、該開口枠は、躯体開口部の屋外側面に底面部が当接するようにして第一ベース枠を躯体に組付ける工程、第一ベース枠に形成の屋外側が開口した充填室に板状の断熱材を充填する工程、第一ベース枠を屋外側から第二ベース枠で着脱自在に覆蓋するようにして組付ける工程があることを特徴とする断熱開口部の開口枠の組付け方法。
【請求項９】
第一ベース枠は、底面部の開口部側端から屋外側に向けて突出する内側片部が躯体開口部の内側面よりも開口内側に位置するようにして躯体に組付けられるものであり、該第一ベース枠底面部、躯体開口部内側面、および断面Ｌ字形をし、躯体開口部の室内側面と第一ベース枠内側片部とに固定される端板により形成される充填空間に、断熱材に発泡する前の液体を第一ベース枠底面部に形成の注入孔から注入して断熱材を発泡させる工程が、躯体開口部の屋外側面に底面部が当接するようにして第一ベース枠を躯体に組付ける工程と、第一ベース枠に形成の屋外側が開口した充填室に板状の断熱材を充填する工程とのあいだにあることを特徴とする請求項８記載の断熱開口部の開口枠の組付け方法。
【請求項１０】
第一ベース枠は、仕切り片部により開口部側の内側充填室と逆側の外側充填室とに仕切られており、内側充填室底面部に前記注入孔が形成され、外側充填室底面部に第一ベース枠を躯体に固定するためのボルト孔が形成されており、第一ベース枠を躯体に組付ける工程には、前記ボルト孔からドリルを用いて躯体にボルト孔を貫通させたものにボルトを貫通する工程が含まれることを特徴とする請求項９記載の断熱開口部の開口枠の組付け方法。
【発明の詳細な説明】
【技術分野】
【０００１】
本発明は、冷蔵倉庫や冷凍倉庫等の建物の出入り口である断熱開口部に組付けられる開口枠および開口枠の組付け方法の技術分野に関するものである。
【背景技術】
【０００２】
一般に、冷蔵庫や冷凍庫のなかには業務用として倉庫形式にした大型のものがあり、このような倉庫の出入り口である開口部を引き戸や開き戸のような戸体で開閉できるようにしたものがあるが、戸体を閉めたとき、断熱性を備えたものとして冷気が庫外に漏れないようにすることが要求される。例えば戸体が引き戸である場合、該引き戸は、開閉移動を円滑にするため躯体の屋外側面とのあいだに隙間を設ける必要があり、このままの構成を冷蔵庫等の倉庫に採用した場合、引き戸を閉めたとき、戸枠部分と開口部の左右枠部および上枠部の屋外側面とのあいだに隙間ができ、冷気が屋外に逃げてしまうという問題がある。そこで開口部の左右枠および上枠の屋外側面部に開口枠（化粧枠）を屋外側に突出するように設け、引き戸を閉めたとき、引き戸の框部位と開口枠の枠部位とのあいだを密閉するシール材が、開口枠部位でのみ当接するようにして引き戸の開閉移動を円滑にするようにしたものが知られている。
【先行技術文献】
【特許文献】
【０００３】
【特許文献１】実公平２−４５７５１号公報
【特許文献２】実公平３−８９３５号公報
【特許文献３】特開平８−１０５６８３号公報
【発明の概要】
【発明が解決しようとする課題】
【０００４】
しかしながら、前記従来のものは、何れも断熱性がある躯体壁面を貫通したボルトで開口枠全体を固定しているが、開口枠をフォークリフトの爪等で破損したような場合、開口枠全体を開口部から取外して交換する必要があってメンテナンス性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、断熱機能を有した躯体開口部の屋外側縁部に、躯体開口部の屋外側面部と戸体とのあいだに断熱性を確保するため開口枠を屋外側に突出するように設けるにあたり、該開口枠は、躯体開口部の屋外側面に底面部が当接するようにして躯体に組付けられる第一ベース枠と、該第一ベース枠に形成の屋外側が開口した充填室に充填される板状の断熱材と、第一ベース枠を屋外側から覆蓋する状態で該第一ベース枠に着脱自在に固定される第二ベース枠とを備えて構成されていることを特徴とする断熱開口部の開口枠である。
請求項２の発明は、第一ベース枠は、底面部の開口部側端から屋外側に向けて突出する内側片部が躯体開口部の内側面よりも内側に位置するようにして躯体に組付けられるものであり、該第一ベース枠には、第一ベース枠底面部、躯体開口部内側面、および断面Ｌ字形をし、躯体開口部の室内側面と第一ベース枠内側片部とに固定される端板により充填空間が形成され、該充填空間には断熱材が充填されることを特徴とする請求項１記載の断熱開口部の開口枠である。
請求項３の発明は、充填空間には断熱材に発砲する前の液体を注入することにより断熱材が充填されるものであり、充填空間に注入する液体は、第一ベース枠の底面部に形成される注入孔から注入されることを特徴とする請求項２記載の断熱開口部の開口枠である。
請求項４の発明は、第一ベース枠の底面部には、該第一ベース枠を躯体外側面に組付けるボルトのボルト孔が形成されていることを特徴とする請求項１乃至３の何れか１記載の断熱開口部の開口枠である。
請求項５の発明は、第一ベース枠は、仕切り片部により開口部側の内側充填室と逆側の外側充填室とに仕切られており、内側充填室底面部に前記注入孔が形成され、外側充填室底面部に第一ベース枠を躯体外側面に組付けるボルトのボルト孔が形成されていることを特徴とする請求項３記載の断熱開口部の開口枠である。
請求項６の発明は、充填室に充填される断熱材はボルト部位が繰り抜かれており、該繰り抜き部位にはボルト端部を被覆するようにして断熱材が充填されていることを特徴とする請求項４または５記載の断熱開口部の開口枠である。
請求項７の発明は、充填室に充填される断熱材は、板状であって、ボルト部位が繰り抜かれた底面側半部と、繰り抜きのない表面側半部とで構成されていることを特徴とする請求項４または５記載の断熱開口部の開口枠である。
請求項８の発明は、断熱機能を有した躯体開口部の屋外側縁部に、躯体開口部の屋外側面部と戸体とのあいだに断熱性を確保するため開口枠を屋外側に突出するようにして設けるにあたり、該開口枠は、躯体開口部の屋外側面に底面部が当接するようにして第一ベース枠を躯体に組付ける工程、第一ベース枠に形成の屋外側が開口した充填室に板状の断熱材を充填する工程、第一ベース枠を屋外側から第二ベース枠で着脱自在に覆蓋するようにして組付ける工程があることを特徴とする断熱開口部の開口枠の組付け方法である。
請求項９の発明は、第一ベース枠は、底面部の開口部側端から屋外側に向けて突出する内側片部が躯体開口部の内側面よりも開口内側に位置するようにして躯体に組付けられるものであり、該第一ベース枠底面部、躯体開口部内側面、および断面Ｌ字形をし、躯体開口部の室内側面と第一ベース枠内側片部とに固定される端板により形成される充填空間に、断熱材に発泡する前の液体を第一ベース枠底面部に形成の注入孔から注入して断熱材を発泡させる工程が、躯体開口部の屋外側面に底面部が当接するようにして第一ベース枠を躯体に組付ける工程と、第一ベース枠に形成の屋外側が開口した充填室に板状の断熱材を充填する工程とのあいだにあることを特徴とする請求項８記載の断熱開口部の開口枠の組付け方法である。
請求項１０の発明は、第一ベース枠は、仕切り片部により開口部側の内側充填室と逆側の外側充填室とに仕切られており、内側充填室底面部に前記注入孔が形成され、外側充填室底面部に第一ベース枠を躯体に固定するためのボルト孔が形成されており、第一ベース枠を躯体に組付ける工程には、前記ボルト孔からドリルを用いて躯体にボルト孔を貫通させたものにボルトを貫通する工程が含まれることを特徴とする請求項９記載の断熱開口部の開口枠の組付け方法である。
【発明の効果】
【０００６】
請求項１または８の発明とすることにより、開口枠の蓋体となる第二ベース枠が、断熱材が充填され、開口部屋外側面に組付けられる第一ベース枠に着脱自在に固定されることになる結果、フォークリフトの爪等で傷つけられるものは主に第二ベース枠であり、また戸体とのあいだの断熱性能を変更するような場合、この第二ベース枠を第一ベース枠から取り外して交換することでメンテナンスできることになって開口枠全体を躯体から外して交換するような必要がなく、メンテナンス性に優れたものとなる。
請求項２の発明とすることにより、躯体開口部内側に形成される充填空間に断熱材が充填されることとなって、躯体開口部内側部位の断熱性も向上することができる。
請求項３または９の発明とすることにより、充填空間には、発泡前の液体が注入されたものが発泡することで断熱材が充填されることになるが、この注入が第一ベース枠を躯体に取り付けた状態で注入孔から行うことができることになって作業性が向上する。
請求項４の発明とすることにより、躯体側に形成するボルト孔を、第一ベース枠に形成のボルト孔からドリルで穿設することができるから、予め躯体側に形成したボルト孔と位置が合わなくなってしまうようなことがない。
請求項５または１０の発明とすることにより、第一ベース枠の断熱材充填室は、注入孔が形成される内側充填室とボルト孔が形成される外側充填室とに仕切られることになるため、断熱材まで破損したような場合に、破損した側の断熱材のみを交換すればよいことになって都合がよいうえ、第一ベース枠を躯体に固定するため躯体に貫通形成するボルト孔は、外側充填室底面部に形成のボルト孔からドリルを用いて簡単にできることになる。
請求項６の発明とすることにより、外側充填室に充填される断熱材のボルト部位は繰り抜かれているため、ボルトの邪魔になることがないが、該繰り抜かれたボルト部位は、断熱材を充填して塞ぐことになるため断熱性を損なうことがない。
請求項７の発明とすることにより、外側充填室に充填される断熱材は底面側半部と表面側半部との二枚になるが、底面側半部はボルト部位が繰り抜かれているためボルト端部が邪魔になることなく充填することができ、しかも表面側半部は繰り抜きがないためボルト端部部位の断熱性を確保することができる。
【図面の簡単な説明】
【０００７】
【図１】（Ａ）（Ｂ）（Ｃ）は躯体開口部の正面図、横断面図、縦断面図である。
【図２】（Ａ）（Ｂ）は開口部の部分縦断面図、部分横断面図である。
【図３】（Ａ）（Ｂ）は開口枠部の孔部位の横断面図、孔がない部位の横断面図である。
【図４】（Ａ）（Ｂ）はそれぞれ開口枠の組込み工程の前半を示す作用説明図である。
【図５】（Ａ）（Ｂ）はそれぞれ開口枠の組込み工程の中半を示す作用説明図である。
【図６】（Ａ）（Ｂ）はそれぞれ開口枠の組込み工程の後半を示す作用説明図である。
【図７】（Ａ）（Ｂ）は第二、第三の実施の形態を示す開口枠部の横断面図である。
【図８】（Ａ）（Ｂ）は第四、第五の実施の形態を示す開口枠部の横断面図である。
【発明を実施するための形態】
【０００８】
以下、本発明の実施の形態について、図面に基づいて説明する。図面において１は冷蔵または冷凍の倉庫の躯体（壁）であって、該躯体１は断熱性がある素材を用いて構築されているが躯体１に形成される開口部には両開き式引き戸の戸体２が左右方向開閉移動自在となるよう開口部上縁部に設けたガイドレール３に戸体２の上端縁に設けた走行ローラ４が転動自在に支承されている。そして戸体２は、本実施の形態では電動モータ５の正逆駆動により開口部の開閉ができるようになっていること等は何れも従来通りである。勿論、電動式でなく手動式であってもよい。尚、２ａは戸体２の召し合わせ部に取付けられるパッキン、２ｂは戸体２側に取付けられ、後述する開口枠６とのあいだの気密性を維持するためのパッキン、２ｃは戸体２の四周に取付けられる凍結防止用のヒーター、２ｄはヒーターに電源供給するためのコードである
【０００９】
６は開口部屋外側面部に建て付けられる開口枠（化粧枠）であって、該開口枠６は開口部の左右両側および上側に建て付けられる左右両側開口枠６ａ、６ｂ、上側開口枠６ｃにより構成され、これらの対向端縁同士は４５℃カットしたものを突き合わせることで直角状に連結されているものであるが、開口枠６は、長尺材で構成される第一、第二のベース枠７、８を備えて構成されているが、これら第一、第二のベース枠７、８は、本実施の形態では断熱性を確保できるよう発泡硬質ポリ塩化ビニル樹脂（ＰＶＣ）を用いて形成されるが、第一ベース枠７は躯体１の屋外側面１ａに当接する底面部７ａと、該底面部７ａの開口部側端縁とその逆側端縁に位置して屋外側に向けて突出する内外両側片部７ｂ、７ｃと、該両側片部７ｂ、７ｃの中間を仕切る仕切り片部７ｄとを備えて構成されており、第一ベース枠７は、この仕切り片部７ｄにより、開口部側の内側充填室Ａと逆側の外側充填室Ｂとに仕切られるようになっている。
因みに、左右両側開口枠６ａ、６ｂ、上側開口枠６ｃのコーナー部については、例えば外側充填室Ｂの底面部７ａに当接するよう嵌め込んだ補強材で連結固定する等して補強してもよい。また仕切り片部７dのない構成としても本発明は実施することができる。
【００１０】
一方、第二ベース枠８は、第一ベース枠７の蓋体に相当することになるが、前記底面部７ａに隙間を存して対向すると共に、内外両側片部７ｂ、７ｃおよび仕切り片部７ｄの各先端が当接する表面部８ａと、幅方向両側縁部に位置して内外両側片部７ｂ、７ｃが積層状に内嵌する内外両側片部８ｂ、８ｃとを備えて構成されている。
【００１１】
そして開口枠６は図４〜図６に示す手順により組み立てられる。
まず第一ベース枠７の底面部７ａを、躯体屋外側面１ａに当てがい仮止めすることになるが、この場合に、第一ベース枠７の内側片部７ｂを躯体開口部の内側面１ｂよりも内側に位置するように当てがう。そしてこのものでは内側充填室Ａ側の底面部７ａに穿設されたビス孔７ｅからビス９を躯体１に螺入して仮止めをする（勿論、仮止め用のビス孔７ｅは外側充填室Ｂにあっても、また両充填室Ａ、Ｂにあってもよい。）。しかる後、第一ベース枠底面部７ａの外側充填室Ｂ側部位に穿設されたボルト孔７ｆからドリルを用いて躯体１にボルト孔１ｃを穿設して躯体１を貫通させる（勿論、ボルト孔７ｆは外側充填室Ｂにあっても、また両充填室Ａ、Ｂにあってもよい。）。そしてボルト１０をこれらボルト孔７ｆ、１ｃを底面部７ａ側から通し、突出端をナット１０ａで緊締する。このときＬ字形に折曲した端板１１の屋内側板部１１ａを躯体屋内側面１ｄに当てがった状態で一緒に緊締することになるが、この端板１１の屋内側板部１１ａは第一ベース枠内側片部７ｂ位置まで開口内側面１ｂよりも延出し、ここで屋外側に折曲した開口側板部１１ｂは、前記第一ベース枠７の内側片部７ｂの外側面に当てがうようにセットされ、ビス１５を用いて固定する。これによって端板１１の屋内側板部１１ａ、開口側板部１１ｂ、底面部７ａ、開口部内側面１ｂとにより囲撓された充填空間Ｃが形成されるが、該充填空間Ｃに断熱材である硬質ポリウレタンフォームが充填されるが、その充填は、硬質ポリウレタンフォームになる前の反応液（液体）を内側充填室Ａの底面部７ａに穿設した注入孔７ｇから注入して該充填空間Ｃに硬質ポリウレタンフォーム１２を発泡させる。
【００１２】
ついで前記端板１１の開口側板部１１ｂと第一ベース枠７の内側片部７ｂとを固定しているビス１５を一旦外した状態で、内側充填室Ａ、外側充填室Ｂに断熱材である板状のポリスチレンフォーム１３、１４を充填することになるが、外側充填室Ｂに充填するポリスチレンフォーム１４については、前記ボルト１０部分は繰り抜いてあり、該繰り抜き部１４ａについては、既に発泡されているポリスチレンフォームや硬質ポリウレタンフォームのような断熱材１４ｂを繰り抜き部１４ａの形状にカットしたものを充填して断熱性を確保するようにしている。この場合に、ボルト１０の端部をシーリング材１６で目地をすると共に、断熱材１４、１４ｂの当接面を接着する等して断熱材１４ｂが外れないようにすることができる。
【００１３】
しかる後、第二ベース枠８を屋外側から第一ベース枠７に被せて蓋をすることになるが、このとき端板開口側板部１１ｂの第一ベース枠内側片部７ｂに重なっている部位を該第一ベース枠内側片部７ｂと第二ベース枠内側片部８ｂとで挟み込むようにして蓋をする。次いで互いに重なり合っている第一、第二ベース枠７、８の内側片部７ｂ、８ｂ同士および外側片部７ｃ、８ｃ同士をビス１５を用いて固定し、これにより開口枠６を形成することができる。
【００１４】
叙述の如く構成された本実施の形態において、開口部屋外側に組付けられる開口枠６は、躯体１の屋外側面にボルト１０を介して第一ベース枠７が取付けられ、該取付けられた第一ベース枠７に形成の内外側充填室Ａ、Ｂに断熱材である板状のポリスチレンフォーム１３、１４が充填されたものを第二ベース枠８で蓋をした状態でビス１５で第一、第二ベース枠７、８同士を着脱自在に固定するものであるから、開口枠６の組付け性が優れることになる。そのうえ第二ベース枠８は、表面側にあるためフォークリフトの爪等で破損しやすく、また戸体２とのあいだの気密性能を変更するような場合に、第一ベース枠７から取り外して簡単に交換することができ、このため、開口枠６の全取換えをする必要がなくなってメンテナンス性にも優れたものになる。
【００１５】
しかもこの場合に、第一ベース枠７は、底面部７ａの開口部側端から屋外側に向けて突出する内側片部７ｂが躯体開口部の内側面１ｂよりも内側に位置するようにして躯体１に組付けられることになるが、この場合に、第一ベース枠底面部７ａと、躯体開口部内側面１ｂと、断面Ｌ字形をし、躯体開口部の室内側面１ａおよび第一ベース枠内側片部７ｂに固定される端板１１とにより予め充填空間Ｃが形成されることになるが、この充填空間Ｃには、第一ベース枠底面部７ａの内側充填室Ａ側に形成の注入孔７ｇから硬質ポリウレタンフォーム１２が断熱材に発泡する前の反応液を注入することができるため、該反応液の注入作業が容易になって作業性が向上する。
しかもこのようにして発泡形成された硬質ポリウレタンフォーム１２は、発泡圧により躯体屋内側面１ｄと端板屋内側板部１１ａとのあいだの隙間、第一ベース枠内側片部７ｂと端板開口側板部１１ｂとのあいだの隙間、第一ベース枠底面部７ａと躯体屋外側面１ａとのあいだの隙間、注入孔７ｇに入り込んで塞ぐため、断熱性に優れたものとなる。
【００１６】
そのうえ第一ベース枠７は、仕切り片部７ｄにより開口部側の内側充填室Ａと逆側の外側充填室Ｂとに仕切られているため、開口枠６を、断熱性を高くするため幅広にしたものであっても、仕切り片部７ｄが中骨の機能を有することになって、開口枠６の強度アップが図られることになる。
そして開口枠６は、仕切り形成された内側充填室Ａと外側充填室Ｂとに分かれて断熱材として例示される内外室用ポリスチレンフォーム１３、１４が充填されるため、何れか一方のポリスチレンフォーム１３、１４が破損する等して断熱性が損なわれた場合に、該損なわれたポリスチレンフォーム１３または１４側を第二ベース枠８を外して交換すればよいから、ここにおいてもメンテナンス性が向上する。
しかも第一ベース枠７の外側充填室Ｂの底面部７ａにボルト孔７ｆが形成されているため、躯体１に形成するボルト孔１ｃは、第一ベース枠７をビス９により仮止めした状態でボルト孔７ｆからドリルで形成すればよいことになって、前もって形成しておく必要がないからボルト孔１ｃ、７ｆが位置ずれしてしまうようなこともない。
【００１７】
さらに外側室用ポリスチレンフォーム１４には、ボルト１０用の繰り抜き部１４ａが形成されているため、外側室用ポリスチレンフォーム１４はボルト１０に邪魔されることなく充填組み込みすることができ、しかも該繰り抜き部１４ａは、外側室用ポリスチレンフォーム１４を組み込み充填した後、断熱材１４ｂで塞いでいるため、断熱性が損なわれることがない。
【００１８】
尚、本発明は前記実施の形態のものに限定されるものでないことは勿論であって、内外側充填室Ａ、Ｂに充填されるものは断熱材であれば材質を問わないものであり、例えば硬質ポリウレタンフォームが他例として例示される。前記実施の形態のものは、開口枠６と戸体とのあいだの気密性を、戸体２側に設けたパッキン２ｂによって確保するように構成したが、図７（Ａ）に示す第二の実施の形態に示すように、第二ベース枠８側にパッキン８ｄを設けたものとしても実施することができ、またさらには、図７（Ｂ）に示す第三の実施の形態のように、両者にパッキン２ｅ、８ｅ、８ｆを設けたものとして高い断熱性を持たせたものにすることができ、そうした場合に、例えば冷蔵倉庫を冷凍倉庫に仕様替えをする場合のように保冷機能をアップする場合、前記第一の実施の形態に用いた第二ベース枠８を、パッキン８ｅ、８ｆが取付けられたものに交換するだけで戸体２と開口枠６とのあいだの保冷機能を向上できる。このとき、併せて断熱材１３、１４についてもより断熱性に優れたものに交換できることになって都合がよい。
さらには図８（Ａ）に示す第四の実施の形態のように、充填空間Ｃに断熱材である板状のポリスチレンフォーム１７を充填することができ、この場合には、第一ベース枠７は底面部に注入孔７ｇがないものとすることができ、また断熱材である外側室用ポリスチレンフォーム１４の繰り抜き部１４ａについては、硬質ポリウレタンフォーム１２ａの発泡前の反応液を注入し、発泡させて閉鎖用の断熱材１２ａとすることができる。
また図８（Ｂ）の第五の実施の形態に示すように、断熱材である外側室用ポリスチレンフォーム１４を、何れも板状で形成した底面側半部１４ｃと表面側半部１４ｄとし、底面側半部１４ｃにはボルト１０のための貫通孔１４ｅを形成し、表面側半部１４ｄについては貫通孔のないものとしてボルト端部を塞ぐようにしてもよく、このようにしても断熱性を維持することができる。この実施の形態では、充填空間Ｃを前記第四の実施の形態のように板状の断熱材であるポリスチレンフォーム１７を充填している。このものにおいて、ボルト１０の端部をシーリング材１６で目地をすると共に、半部１４ｃ、１４ｄの当接面を接着する等して一体化することができる。
【産業上の利用可能性】
【００１９】
本発明は、冷凍倉庫、冷蔵倉庫等の躯体の出入り口となる断熱開口部に建て付ける開口枠の分野に利用することができる。
【符号の説明】
【００２０】
１    躯体
１ａ  屋外側面
１ｂ  内側面
２    戸体
６    開口枠
７    第一ベース枠
７ａ  底面部
７ｂ  内側片部
７ｄ  仕切り片部
７ｆ  ボルト孔
７ｇ  注入孔
８    第二ベース枠
８ａ  表面部
１０    ボルト
１１    端板
１２    硬質ポリウレタンフォーム
１３    内側室用ポリスチレンフォーム
１４    外側室用ポリスチレンフォーム
１４ａ  繰り抜き部
Ａ    内側充填室
Ｂ    外側充填室
Ｃ    充填空間
【図１】
2015124921.tif 000003
【図２】
2015124921.tif 000004
【図３】
2015124921.tif 000005
【図４】
2015124921.tif 000006
【図５】
2015124921.tif 000007
【図６】
2015124921.tif 000008
【図７】
2015124921.tif 000009
【図８】
2015124921.tif 000010